(57)【要約】【課題】  顧客の行動範囲に基づいた顧客専用の広告を作成して配信する広告配信システム，方法およびプログラムを提供する。【解決手段】  顧客端末１０は顧客情報と広告配信を希望する商品とその商品に対する条件を広告提供システム２０に送信する。小売店端末３０は顧客に通知したい広告情報を広告提供システム２０に送信する。顧客の携帯電話４０はＧＰＳ機能を用いて位置情報を取得し位置情報分析システム５０に送信する。位置情報分析システム５０は登録された位置情報から携帯番号毎に行動パターンを分析する。広告提供システム２０は位置情報分析システム５０から取得した顧客の行動範囲情報を基に該当する店舗情報を抽出し、抽出した店舗の登録商品の中から顧客が広告配信を希望する商品の条件に適合するものを抽出して顧客が希望する商品情報を決定し、顧客専用の広告を作成し顧客端末１０に送信する。【選択図】      図１
2005148289.tif 000002
【特許請求の範囲】
【請求項１】
顧客の行動範囲を予測する行動範囲予測手段と、
前記行動範囲予測手段が予測する顧客の行動範囲内に存在する店舗の店舗情報から広告を作成する広告作成手段と、
前記広告作成手段が作成した広告を顧客端末に配信する広告配信手段と、
を備える広告配信システム。
【請求項２】
広告提供システムに顧客情報および広告配信希望商品情報を送信し前記広告提供システムから広告を受信して表示する顧客端末と、
前記顧客端末から顧客情報および広告配信希望商品情報を受信して登録し、小売店端末から広告情報を受信して登録し、位置情報分析システムから取得した顧客の行動範囲情報を基に店舗情報を抽出し、抽出した店舗の登録商品の中から顧客の条件に適合するものを抽出し、顧客専用の広告を作成して前記顧客端末に送信する広告提供システムと、
前記広告提供システムに顧客に通知したい広告情報を送信する小売店端末と、
顧客が携帯し位置情報分析システムに位置情報を送信する携帯電話と、
前記携帯電話から位置情報を受信して登録し登録されている前記位置情報から顧客の行動範囲を予測する位置情報分析システムと、
を備える広告配信システム。
【請求項３】
前記広告提供システムは、
前記顧客の行動範囲を表す地図上に前記抽出した各店舗の位置を表示し且つ前記抽出した各商品情報を表示する顧客専用の広告を作成する手段を有することを特徴とする請求項２記載の広告配信システム。
【請求項４】
前記広告提供システムは、
前記抽出した各店舗の商品情報を１つの表形式にまとめた顧客専用の広告を作成する手段を有することを特徴とする請求項２記載の広告配信システム。
【請求項５】
顧客の行動範囲を予測し、
前記予測した顧客の行動範囲内に存在する店舗の店舗情報から広告を作成し、
前記作成した広告を顧客端末に配信する、
ことを特徴とする広告配信方法。
【請求項６】
顧客端末は、
顧客情報および広告配信希望商品情報を広告提供システムに送信し、
前記広告提供システムは、
前記顧客端末から顧客情報および広告配信希望商品情報を受信して登録し、
小売店端末は、
顧客に通知したい広告情報を前記広告提供システムに送信し、
前記広告提供システムは、
前記小売店端末から広告情報を受信して登録し、
携帯電話は、
位置情報を位置情報分析システムに送信し、
前記位置情報分析システムは、
前記携帯電話から位置情報を受信して登録し、
登録されている前記位置情報から顧客の行動範囲を予測し、
前記広告提供システムは、
前記位置情報分析システムから取得した顧客の行動範囲情報を基に店舗情報を抽出し、
前記抽出した店舗の登録商品の中から顧客の条件に適合する商品を抽出し、
前記抽出した店舗情報と商品情報とから顧客専用の広告を作成し、
前記作成した顧客専用の広告を前記顧客端末に送信し、
前記顧客端末は、
前記広告提供システムから受信した広告を表示する、
ことを特徴とする広告配信方法。
【請求項７】
前記広告提供システムは、
前記顧客の行動範囲を表す地図上に前記抽出した各店舗の位置を表示し且つ前記抽出した各商品情報を表示する顧客専用の広告を作成する、
ことを特徴とする請求項６記載の広告配信方法。
【請求項８】
前記広告提供システムは、
前記抽出した各店舗の商品情報を１つの表形式にまとめた顧客専用の広告を作成する、
ことを特徴とする請求項６記載の広告配信方法。
【請求項９】
コンピュータに、
顧客の行動範囲を予測する機能、
前記予測した顧客の行動範囲内に存在する店舗の店舗情報から広告を作成する機能、
前記作成した広告を顧客端末に配信する機能、
を実現させるための広告配信プログラム。
【請求項１０】
コンピュータに、
顧客端末が、
顧客情報および広告配信希望商品情報を広告提供システムに送信する機能、
前記広告提供システムが、
前記顧客端末から顧客情報および広告配信希望商品情報を受信して登録する機能、
小売店端末が、
顧客に通知したい広告情報を前記広告提供システムに送信する機能、
前記広告提供システムが、
前記小売店端末から広告情報を受信して登録する機能、
携帯電話が、
位置情報を位置情報分析システムに送信する機能、
前記位置情報分析システムが、
前記携帯電話から位置情報を受信して登録する機能、
登録されている前記位置情報から顧客の行動範囲を予測する機能、
前記広告提供システムが、
前記位置情報分析システムから取得した顧客の行動範囲情報を基に店舗情報を抽出する機能、
前記抽出した店舗の登録商品の中から顧客の条件に適合する商品を抽出する機能、
前記抽出した店舗情報と商品情報とから顧客専用の広告を作成する機能、
前記作成した顧客専用の広告を前記顧客端末に送信する機能、
前記顧客端末が、
前記広告提供システムから受信した広告を表示する機能、
を実現させるための広告配信プログラム。
【請求項１１】
前記広告提供システムが、
前記顧客の行動範囲を表す地図上に前記抽出した各店舗の位置を表示し且つ前記抽出した各商品情報を表示する顧客専用の広告を作成する機能、
を実現させるための請求項１０記載の広告配信プログラム。
【請求項１２】
前記広告提供システムが、
前記抽出した各店舗の商品情報を１つの表形式にまとめた顧客専用の広告を作成する機能、
を実現させるための請求項１０記載の広告配信プログラム。
【発明の詳細な説明】
【技術分野】
【０００１】
本発明は、広告配信システム，方法およびプログラムに関し、特に、顧客の活動地域を分析することにより広告を配信する広告配信システム，方法およびプログラムに関する。
【背景技術】
【０００２】
従来の広告配信方法の一例として、特許文献１には、配信用サーバが位置検出用サーバにＧＰＳ受信機機能を備えた携帯電話端末の位置情報を収集させ、その位置情報に基づいて特定のエリアに位置する携帯電話端末を特定し、特定した携帯電話端末の使用者に関する情報をデータベースを検索することにより得て、広告メッセージの配信を行なうか否か決定し、選択的に広告メッセージの配信を行なう携帯電話端末への広告配信方法が開示されている。
【０００３】
また、特許文献２には、各種加盟店が配信時間を指定して商品広告を情報提供者に送り、情報提供者が各種加盟店から受け取った商品広告を電子化し、情報提供者は携帯通信装置のアクセスにより得られたその位置情報と予め登録されている契約者の属性とに適合可能な商品広告を各種加盟店の中から選択し、配信時間に当該携帯通信装置に送る商品広告の配布方法が開示されている。
【０００４】
また、特許文献３には、無線通信装置の現在位置を測定する位置測定手段と、配信すべき広告情報および配信先情報を入手するとともに、広告情報を無線通信装置に送信する広告情報管理サーバとを具備し、広告情報管理サーバは、位置測定手段が測定した無線通信装置の現在位置と配信先情報に含まれる位置情報に基づいて、指定地域内の無線通信装置に対して広告情報を送信し、無線通信装置は、広告情報管理サーバが送信した広告情報の配信を受ける無線通信サービス提供システムが開示されている。
【０００５】
【特許文献１】特開２００１−３５９１６６号公報
【特許文献２】特開２００２−２５９８２１号公報
【特許文献３】特許第３２４５８３６号公報
【発明の開示】
【発明が解決しようとする課題】
【０００６】
しかしながら、上述した背景技術には、以下のような問題点がある。
【０００７】
すなわち、携帯電話の現在の位置情報から一定の範囲内にある店舗の広告情報を携帯電話に配信し或いは広告主の指定する範囲にいる携帯電話に広告情報を配信しており、顧客の普段の行動範囲に基づいて顧客のニーズに合った広告が配信されていないということである。
【０００８】
また、各店舗の情報が別々に送信されるので、店舗情報の比較が難しいと言えることである。
【０００９】
本発明の目的は、上記の問題点を解決し、顧客の普段の行動範囲内に所在する店舗の条件を満たす商品の広告を配信する広告配信システム，方法およびプログラムを提供することにある。
【００１０】
本発明の他の目的は、上記の問題点を解決し、各店舗の広告情報を１つにまとめて顧客に配信する広告配信システム，方法およびプログラムを提供することにある。
【課題を解決するための手段】
【００１１】
本願第１の発明の広告配信システムは、顧客の行動範囲を予測する行動範囲予測手段と、前記行動範囲予測手段が予測する顧客の行動範囲内に存在する店舗の店舗情報から広告を作成する広告作成手段と、前記広告作成手段が作成した広告を顧客端末に配信する広告配信手段と、を備える。
【００１２】
本願第２の発明の広告配信システムは、広告提供システムに顧客情報および広告配信希望商品情報を送信し前記広告提供システムから広告を受信して表示する顧客端末と、前記顧客端末から顧客情報および広告配信希望商品情報を受信して登録し、小売店端末から広告情報を受信して登録し、位置情報分析システムから取得した顧客の行動範囲情報を基に店舗情報を抽出し、抽出した店舗の登録商品の中から顧客の条件に適合するものを抽出し、顧客専用の広告を作成して前記顧客端末に送信する広告提供システムと、前記広告提供システムに顧客に通知したい広告情報を送信する小売店端末と、顧客が携帯し位置情報分析システムに位置情報を送信する携帯電話と、前記携帯電話から位置情報を受信して登録し登録されている前記位置情報から顧客の行動範囲を予測する位置情報分析システムと、を備える。
【００１３】
本願第３の発明の広告配信システムは、第２の発明において前記広告提供システムは、前記顧客の行動範囲を表す地図上に前記抽出した各店舗の位置を表示し且つ前記抽出した各商品情報を表示する顧客専用の広告を作成する手段を有することを特徴とする。
【００１４】
本願第４の発明の広告配信システムは、第２の発明において前記広告提供システムは、前記抽出した各店舗の商品情報を１つの表形式にまとめた顧客専用の広告を作成する手段を有することを特徴とする。
【００１５】
本願第５の発明の広告配信方法は、顧客の行動範囲を予測し、前記予測した顧客の行動範囲内に存在する店舗の店舗情報から広告を作成し、前記作成した広告を顧客端末に配信する、ことを特徴とする。
【００１６】
本願第６の発明の広告配信方法は、顧客端末は、顧客情報および広告配信希望商品情報を広告提供システムに送信し、前記広告提供システムは、前記顧客端末から顧客情報および広告配信希望商品情報を受信して登録し、小売店端末は、顧客に通知したい広告情報を前記広告提供システムに送信し、前記広告提供システムは、前記小売店端末から広告情報を受信して登録し、携帯電話は、位置情報を位置情報分析システムに送信し、前記位置情報分析システムは、前記携帯電話から位置情報を受信して登録し、登録されている前記位置情報から顧客の行動範囲を予測し、前記広告提供システムは、前記位置情報分析システムから取得した顧客の行動範囲情報を基に店舗情報を抽出し、前記抽出した店舗の登録商品の中から顧客の条件に適合する商品を抽出し、前記抽出した店舗情報と商品情報とから顧客専用の広告を作成し、前記作成した顧客専用の広告を前記顧客端末に送信し、前記顧客端末は、前記広告提供システムから受信した広告を表示する、ことを特徴とする。
【００１７】
本願第７の発明の広告配信方法は、第６の発明において前記広告提供システムは、前記顧客の行動範囲を表す地図上に前記抽出した各店舗の位置を表示し且つ前記抽出した各商品情報を表示する顧客専用の広告を作成する、ことを特徴とする。
【００１８】
本願第８の発明の広告配信方法は、第６の発明において前記広告提供システムは、前記抽出した各店舗の商品情報を１つの表形式にまとめた顧客専用の広告を作成する、ことを特徴とする。
【００１９】
本願第９の発明の広告配信プログラムは、コンピュータに、顧客の行動範囲を予測する機能、前記予測した顧客の行動範囲内に存在する店舗の店舗情報から広告を作成する機能、前記作成した広告を顧客端末に配信する機能、を実現させる。
【００２０】
本願第１０の発明の広告配信プログラムは、コンピュータに、顧客端末が、顧客情報および広告配信希望商品情報を広告提供システムに送信する機能、前記広告提供システムが、前記顧客端末から顧客情報および広告配信希望商品情報を受信して登録する機能、小売店端末が、顧客に通知したい広告情報を前記広告提供システムに送信する機能、前記広告提供システムが、前記小売店端末から広告情報を受信して登録する機能、携帯電話が、位置情報を位置情報分析システムに送信する機能、前記位置情報分析システムが、前記携帯電話から位置情報を受信して登録する機能、登録されている前記位置情報から顧客の行動範囲を予測する機能、前記広告提供システムが、前記位置情報分析システムから取得した顧客の行動範囲情報を基に店舗情報を抽出する機能、前記抽出した店舗の登録商品の中から顧客の条件に適合する商品を抽出する機能、前記抽出した店舗情報と商品情報とから顧客専用の広告を作成する機能、前記作成した顧客専用の広告を前記顧客端末に送信する機能、前記顧客端末が、前記広告提供システムから受信した広告を表示する機能、を実現させる。
【００２１】
本願第１１の発明の広告配信プログラムは、第１０の発明において前記広告提供システムが、前記顧客の行動範囲を表す地図上に前記抽出した各店舗の位置を表示し且つ前記抽出した各商品情報を表示する顧客専用の広告を作成する機能、を実現させる。
【００２２】
本願第１２の発明の広告配信プログラムは、第１０の発明において前記広告提供システムが、前記抽出した各店舗の商品情報を１つの表形式にまとめた顧客専用の広告を作成する機能、を実現させる。
【発明の効果】
【００２３】
本発明の第１の効果は、顧客の普段の行動範囲に基づいて顧客のニーズに合った広告を配信できることである。
【００２４】
その理由は、顧客の携帯電話から位置情報を取得し、取得した位置情報を分析することにより携帯番号ごとに行動範囲を予測して顧客ごとの行動予測範囲を決定し、行動予測範囲内にある店舗の条件を満たす商品の広告情報を顧客に配信するようにしたからである。
【００２５】
本発明の第２の効果は、顧客が各店舗の商品の広告情報を比較できることである。
【００２６】
その理由は、該当する各店舗から顧客の条件を満たす商品を抽出して、１つにまとめて顧客専用の広告を作成し、顧客に配信するようにしたからである。
【発明を実施するための最良の形態】
【００２７】
本発明の広告配信システムは、携帯電話から位置情報を取得する技術を応用して、顧客の位置情報を一定期間調査し、その調査した位置情報を分析することにより顧客が活動するであろう地域を割り出す。そして、その予測された活動地域から登録されている店舗を抽出し、その店舗に登録されている広告情報から顧客が広告配信を希望している商品とその条件に合致した広告情報を抽出することにより、複数の広告情報を組み合わせて顧客専用の広告を作り上げることを特徴としている。
【００２８】
次に、本発明を実施するための最良の形態の構成について、図面を参照して詳細に説明する。
図１は本発明の構成図である。
図２は広告提供システム２０の構成図である。
図３は位置情報分析システム５０の構成図である。
図５は顧客情報ＤＢ２０２内の顧客氏名、住所、携帯番号と顧客が情報配信を希望する商品名、条件を示す図である。
図６は広告情報ＤＢ２０３内の小売店名、店舗住所、商品情報を示す図である。
図７は位置情報ＤＢ５０２内の顧客携帯番号、時間とその時間での所在地を示す図である。
図８は顧客へ配信する広告情報の例を示す図である。
【００２９】
本発明の広告配信システムは、図１に示す通り、顧客端末１０と、広告提供システム２０と、小売店端末３０と、携帯電話４０と、位置情報分析システム５０とを備え、顧客端末１０，広告提供システム２０，小売店端末３０，携帯電話４０および位置情報分析システム５０はインターネット等のネットワーク１００を介して接続されている。
【００３０】
顧客端末１０は、広告配信サービスを希望する顧客が保有するコンピュータであり、広告提供システム２０へ顧客情報（顧客名，住所，携帯番号など）および広告配信希望商品情報（希望商品名，その商品に対する配信条件，商品の単位など）を送信する手段、広告提供システム２０から広告を受信して表示する手段、を含んでいる。
【００３１】
広告提供システム２０は、広告情報を一括して管理する広告代理店が保有するシステムであり、図２に示す通り、広告提供サーバ２０１と、顧客情報ＤＢ２０２と、広告情報ＤＢ２０３と、を有している。広告提供システム２０は顧客端末１０のブラウザで顧客情報を登録する為のフォームを表示するシステムであり、また入力された顧客情報と小売店端末３０から入力された広告情報を保持し、位置情報分析システム５０によって分析された顧客の位置情報を基に顧客に配信する広告情報を抽出し、顧客にメール等で配信するシステムである。
【００３２】
広告提供サーバ２０１は、プログラム制御で動作するサーバ等の情報処理装置であり、顧客端末１０のブラウザに顧客情報等を登録する為のフォームを表示する手段、顧客端末１０から入力された顧客情報および広告配信希望商品情報を受信して顧客情報ＤＢ２０２に登録する手段、小売店端末３０から入力された広告情報を広告情報ＤＢ２０３に登録する手段、を含んでいる。更に、位置情報分析システム５０が分析した顧客の活動地域を取得する手段、取得した顧客の活動地域を基に広告情報ＤＢ２０３から顧客の活動地域内に存在する店舗を抽出する手段、該当店舗から顧客が広告配信を希望する商品を抽出する手段、抽出された各店舗情報・商品情報をひとつにまとめた地図形式にして顧客専用の広告を作成する広告作成手段、作成した広告をネットワーク１００を経由して顧客端末１０に配信する広告配信手段、を含んでいる。広告作成手段が作成する広告の例を図８に示す。また、広告作成手段は、抽出された各店舗情報・商品情報を文字情報のみの表形式で広告を作成するようにしてもよい。また、広告配信手段は、携帯電話４０に広告を配信するようにしてもよい。
【００３３】
顧客情報ＤＢ２０２は、図５に示す通り、当サービスを利用する顧客の顧客情報（顧客名，住所，携帯番号など）並びに顧客の広告配信希望商品情報（希望商品名，その商品に対する配信条件，商品の単位など）が登録されるデータベースである。図５では、希望商品名と条件と単位の組を１組登録しているが、複数組を登録してもよい。位置情報分析システム５０に登録されている携帯番号と当ＤＢに登録されている携帯番号を関連付けることにより、顧客の行動範囲を決定するのに使用され、また、顧客用広告を配信する際に顧客が希望する商品とその商品に対する配信条件を抽出する際にも使用する。
【００３４】
広告情報ＤＢ２０３は、図６に示す通り、小売店各店舗の広告情報（小売店名，住所，商品名，製造者，値段，単位など）が登録されるデータベースである。図６では、商品名と製造者と値段と単位の組を１組登録しているが、複数組を登録してもよい。位置情報分析システム５０で分析された顧客の行動範囲に該当する店舗を抽出する際に使用し、また顧客が登録した条件に該当する商品を抽出する際にも使用する。
【００３５】
小売店端末３０は、小売店の各店舗に設置されているプログラム制御で動作するパソコン等の情報処理装置であり、広告情報（小売店名，住所，商品名，製造者，値段など）を広告提供システム２０に送信する手段を含んでいる。
【００３６】
携帯電話４０は、広告配信サービスを希望する顧客が保有し、ＧＰＳなどのサービスを用いて位置情報（緯度・経度情報，時間情報など）を得て位置情報分析システム５０に送信する位置情報送信手段を含んでいる。位置情報送信手段は、一定時間ごとに位置情報を位置情報分析システム５０に送信する。
【００３７】
位置情報分析システム５０は、広告情報を一括して管理する広告代理店が保有するシステムであり、図３に示す通り、位置情報分析サーバ５０１と、位置情報ＤＢ５０２と、を有している。位置情報分析システム５０は携帯電話４０から一定時間ごとに位置情報を取得し、その情報を保持する為に使用する。また、取得した位置情報を分析することにより携帯番号ごとに行動範囲を予測し、広告提供システム２０に登録されている顧客の携帯番号からその携帯番号を保有している顧客を抽出することにより、顧客ごとの行動予測範囲を決定するために使用する。
【００３８】
位置情報分析サーバ５０１は、プログラム制御で動作するサーバ等の情報処理装置であり、携帯電話４０から携帯電話４０の位置情報（緯度・経度情報，時間情報など）を受信する手段、受信した位置情報に含まれる緯度・経度情報から緯度・経度／地名対応ＤＢ（図示せず）を参照して地名情報を取得する手段、携帯電話４０の所在地情報（携帯番号，日付，曜日，時間，所在地など）を位置情報ＤＢ５０２に登録する手段、登録されている所在地情報から携帯番号ごとに行動パターンを分析する行動パターン分析手段、広告提供システム２０に登録されている顧客携帯番号からその携帯番号を保有している顧客を抽出して顧客ごとの行動範囲を予測する行動範囲予測手段を、含んでいる。行動パターン分析手段は、携帯番号ごとに、ある一定期間に登録されている所在地情報を位置情報ＤＢ５０２から抽出し、データマイニングツールなどを使用して分析を行う。例えば、この一ヶ月間は大体この地域（例えば東京都Ａ市・・・）を通っていることが多いなどの分析結果を出力する。また、曜日ごと或いは時間帯ごとに分析するようにしてもよい。曜日ごとの場合、例えば月曜日には大体この地域を通っていることが多いなどの分析結果を出力する。時間ごとの場合、例えば夜７時頃には大体この地域を通っていることが多いなどの分析結果を出力する。更に、曜日と時間帯とを組み合わせて分析するようにしてもよい。行動範囲予測手段は、行動パターン分析手段が出力した分析結果を基に、顧客ごとの行動範囲を予測し、顧客の活動地域（行動範囲）を決定し、決定した顧客の活動地域（行動範囲）を位置情報ＤＢ５０２に登録する。
【００３９】
位置情報ＤＢ５０２は、図７に示す通り、携帯電話の所在地情報（携帯番号，日付，曜日，時間，所在地など）が登録されたデータベースである。位置情報分析システム５０で顧客の行動パターンを分析するために使用し、また顧客が登録した携帯番号から顧客別の活動地域（行動範囲）を決定する際にも使用する。
【００４０】
次に、本発明を実施するための最良の形態の動作について、図１〜図８を参照して詳細に説明する。
図４は本発明のフローチャートを示す図である。
【００４１】
まず、顧客情報登録までを説明する。
【００４２】
当サービスを希望する顧客は、顧客端末１０からネットワーク１００を介して広告提供サーバ２０１に接続する（ステップＡ１）。
【００４３】
広告提供サーバ２０１は顧客端末１０から接続されたら、顧客情報（顧客名、住所、携帯番号など）と広告配信希望商品情報（希望商品名，その商品に対する配信条件など）を入力するフォームを顧客端末１０のブラウザに表示させる（ステップＡ２）。
【００４４】
顧客端末１０は表示されたフォームに顧客情報と広告配信希望商品情報とを入力し、広告提供サーバ２０１に送信する（ステップＡ３）。本例では、顧客端末１０は顧客名「ａａａａａａａａ」，携帯番号「０９０−ａａａ−ａａａａ」，希望商品名「マヨネーズ」，条件「１４５円以下」などを送信する。
【００４５】
広告提供サーバ２０１はステップＡ３で送信された情報を受信して顧客情報ＤＢ２０２に登録する（ステップＡ４）。本例での顧客情報ＤＢ２０２を図５に示す。
【００４６】
次に、広告情報登録までを説明する。
【００４７】
小売店端末３０から顧客に通知したい広告情報（小売店名、住所、商品名、値段、製造者など）を、各店舗別に入力して広告提供サーバ２０１に送信する（ステップＡ５）。
【００４８】
広告提供サーバ２０１は送信された広告情報を受信して広告情報ＤＢ２０３に登録する（ステップＡ６）。本例での広告情報ＤＢ２０３を図６に示す。
【００４９】
次に、顧客の行動パターンを分析し活動地域（行動範囲）を決定するまでを説明する。
【００５０】
当サービスを希望する顧客は、自身が保有する携帯電話４０からＧＰＳなどの機能を用いて一定時間ごとに位置情報（緯度・経度情報，時間情報など）を取得して自動で位置情報分析サーバ５０１に送信する（ステップＡ７）。
【００５１】
位置情報分析サーバ５０１は携帯電話４０から受信した位置情報に含まれる緯度・経度情報を基に地名情報を取得し、携帯電話の所在地情報（携帯番号，日付，曜日，時間，所在地など）を位置情報ＤＢ５０２に登録する（ステップＡ８）。本例での位置情報ＤＢ５０２を図７に示す。
【００５２】
位置情報分析サーバ５０１は位置情報ＤＢ５０２に登録されている携帯電話の所在地情報から携帯番号ごとに行動パターンを分析し（ステップＡ９）、携帯番号ごとに分析した結果（活動地域（行動範囲）情報）を位置情報ＤＢ５０２へ登録する（ステップＡ１０）。本例では、分析の結果、携帯番号「０９０−ａａａ−ａａａａ」の活動地域（行動範囲）情報として、所在頻度の多い「東京都Ａ市」が位置情報ＤＢ５０２に登録されるものとする。
【００５３】
最後に、顧客への広告情報配信までを説明する。
【００５４】
顧客が登録した顧客情報と広告配信希望商品情報および小売店が登録した広告情報、そして顧客の行動パターンの分析結果がそろったら、顧客の行動パターン分析結果の照会を行う為に、まず広告提供サーバ２０１は位置情報分析サーバ５０１に接続し顧客の携帯番号情報を送信する（ステップＡ１１）。本例では、顧客名「ａａａａａａａａ」の携帯番号「０９０−ａａａ−ａａａａ」を送信する。
【００５５】
位置情報分析サーバ５０１は受信した携帯番号情報をキーにして位置情報ＤＢ５０２から分析結果である活動地域（行動範囲）情報を取得し（ステップＡ１２）、取得した活動地域（行動範囲）情報を広告提供サーバ２０１に送信する（ステップＡ１３）。
【００５６】
広告提供サーバ２０１は受信した活動地域（行動範囲）情報を基に、その範囲内に該当する店舗情報を広告情報ＤＢ２０３から抽出する（ステップＡ１４）。本例では、顧客名「ａａａａａａａａ」の活動地域（行動範囲）である「東京都Ａ市」に存在する「Ａスーパー」と「Ｂスーパー」と「スーパーＴＴＴ」と「スーパーＷＷＷ」が抽出される。
【００５７】
広告提供サーバ２０１は抽出した店舗に登録されている商品の中から顧客の広告配信希望商品の条件に適合するものを抽出し、顧客が希望している商品情報を決定する（ステップＡ１５）。本例では、顧客名「ａａａａａａａａ」の条件である「１４５円以下のマヨネーズ」に該当する「Ａスーパーの１２８円のマヨネーズ」と「Ｂスーパーの１４５円のマヨネーズ」と「スーパーＴＴＴの１２３円のマヨネーズ」とが抽出される。
【００５８】
広告提供サーバ２０１は商品情報が決定したら、顧客専用の広告を作成し、作成した広告を顧客端末１０へメール等で送信する（ステップＡ１６）。本例では、図８に示すように、顧客名「ａａａａａａａａ」の活動地域（行動範囲）である「東京都Ａ市」の地図上に該当する小売店（「Ａスーパー」と「Ｂスーパー」と「スーパーＴＴＴ」）の位置を表示し且つ該当する商品情報を表示する広告を作成し、顧客名「ａａａａａａａａ」の顧客端末１０に送信する。
【００５９】
顧客端末１０は配信された広告を受信して表示する（ステップＡ１７）。
【００６０】
なお、別の商品に対して広告配信を希望する場合には、ステップＡ１に戻り、顧客端末１０は顧客情報ＤＢ２０２に広告配信希望商品情報を登録する。
【００６１】
このようにして、顧客が自らのニーズを登録し位置情報を提供することで、広告提供システムは顧客の活動範囲に基づいて、登録されている色々な小売店の情報を厳選して、顧客のニーズに見合った情報を１つにまとめて顧客に配信することができる。
【００６２】
これによって、
・顧客が活動する範囲を割り出し、地域密着型の情報提供が可能、
・各小売店の商品情報をまとめた顧客専用の広告なので各店舗情報の比較が容易、
・広告内容に変更があった場合でも、即時対応・通知が可能、
と言った効果を得られる。
【００６３】
なお、本発明の実施例では、携帯電話４０にて位置情報を取得し、その位置情報を分析することにより顧客の行動範囲情報を取得したが、ステップＡ１にて顧客自身が顧客端末１０から広告提供を希望する地域を予め指定するようにしてもよい。
【００６４】
また、本発明の実施例では、携帯電話４０を有しているが、携帯電話４０の代わりに通信機能を備える携帯情報端末等の携帯端末であってもよい。
【００６５】
また、本発明の実施例では、顧客情報ＤＢ２０２と位置情報ＤＢ５０２とを携帯電話４０の携帯番号で関連づけているが、携帯番号の代わりに顧客を一意に識別できる識別コードを顧客情報ＤＢ２０２に登録し、携帯電話４０は位置情報と共に識別コードを位置情報分析サーバ５０１に送信し、位置情報分析サーバ５０１は携帯番号の代わりに識別コードを位置情報ＤＢ５０２に登録し、識別コードで顧客情報ＤＢ２０２と位置情報ＤＢ５０２とを関連づけるようにしてもよい。
【００６６】
本発明による上述した実施の形態において、広告配信システムの処理動作を実行するためのプログラム等を、データとしてコンピュータの磁気ディスクや光ディスク等の記録媒体（図示せず）に記録するようにし、記録されたデータを読み出して広告配信システムを動作させるために用いる。このように、本発明による広告配信システムを動作させるデータを記録媒体に記録させ、この記録媒体をインストールすることにより広告配信システムの機能が実現できるようになる。
【図面の簡単な説明】
【００６７】
【図１】本発明の構成図
【図２】広告提供システム２０の構成図
【図３】位置情報分析システム５０の構成図
【図４】本発明のフローチャートを示す図
【図５】顧客情報ＤＢ２０２内の顧客氏名、住所、携帯番号と顧客が情報配信を希望する商品名、条件を示す図
【図６】広告情報ＤＢ２０３内の小売店名、店舗住所、商品情報を示す図
【図７】位置情報ＤＢ５０２内の顧客携帯番号、時間とその時間での所在地を示す図
【図８】顧客へ配信する広告情報の例を示す図
【符号の説明】
【００６８】
１０    顧客端末
２０    広告提供システム
３０    小売店端末
４０    携帯電話
５０    位置情報分析システム
１００    ネットワーク
２０１    広告提供サーバ
２０２    顧客情報ＤＢ
２０３    広告情報ＤＢ
５０１    位置情報分析サーバ
５０２    位置情報ＤＢ
【図１】
2005148289.tif 000003
【図２】
2005148289.tif 000004
【図３】
2005148289.tif 000005
【図４】
2005148289.tif 000006
【図５】
2005148289.tif 000007
【図６】
2005148289.tif 000008
【図７】
2005148289.tif 000009
【図８】
2005148289.tif 000010